(57)【要約】      （修正有）【課題】くし歯がペットの胴体の曲線に倣って歯先の方向へ進退自在に湾曲変形できるくしを提供する。【解決手段】長尺正面を有し、前記長尺正面の垂直方向において弾性的な撓み変形をすることができるように構成されたくしストリップ２を有し、前記くしストリップ２は、前記長尺正面から長手方向の一辺沿いに一連に並ぶように突出る複数の歯２１１が設けられている。前記くしストリップ２は歯２１１の先端を除いてホルダー３にて挟持されるように構成されている。【選択図】図７
0003144864.tif 000002
【実用新案登録請求の範囲】
【請求項１】
長尺正面を有し、前記長尺正面の垂直方向において弾性的な撓み変形をすることができるように構成されたくしストリップを有し、前記くしストリップは前記長尺正面から垂直に長手方向の一辺沿いに一連に並ぶように突出る複数の歯が設けられ、前記くしストリップは歯の先端を除いてホルダーにて挟持されるように構成することを特徴とする、くし。
【請求項２】
前記くしストリップとしては、複数の板片によりそのステム先端より先へ分岐突出する複数の歯と、これらの歯が付け根部位において隣接歯の付け根部位とが、つなぎ部を介して互いに横並びに連接してなることを特徴とする、請求項１に記載のくし。
【請求項３】
前記ホルダーは、前記くしストリップを挟持接触する部位を除いた他の部位が空洞をなすよう肉を薄くすることを特徴とする、請求項２に記載のくし。
【請求項４】
更に剛性材であって１側辺に開口する長溝を有する鞘からなり、且つ、前記くしストリップを歯がその開口へ臨むようにその長溝内部へ進退自在に格納するキャップをそなえていることを特徴とする、請求項１〜３のいずれか一項に記載のくし。
【請求項５】
前記キャップ内には、前記歯を常時開口より露出可能に弾性的に支持する付勢力を与えるように、前記くしストリップの前記キャップ内に収納する底部側から支持する付勢手段が設けられていることを特徴とする、請求項４に記載のくし。
【請求項６】
前記くしストリップとしては、金属材料により、前記ホルダーとしては、ゴム材料によりつくられることを特徴とする、請求項１に記載のくし。
【考案の詳細な説明】
【技術分野】
【０００１】
本考案は、くしに関し、特にペット動物の毛をすくためのくしに関する。
【背景技術】
【０００２】
従来のペット動物の毛をすくためのくしは、通常帯板状をして、長手沿いの一辺に複数のくし歯が一列に並んでいる。このようなくしは、一列に並んでいるくし歯の先を正面として毛に当てて毛を横切る方向に動かして毛をすくのであるが、くし歯は剛性材からなるので、犬や猫などほぼ全身が毛に覆われているペットの毛をすくとき、ペットの胴体に当たると胴体の曲線に倣って歯並びを上下の方向に湾曲変形することができないので、ペットの胴体にぴったり合せて毛を効率よく整理することができず、絶えずくしの位置や角度を変化させて何回も何回も梳かなければならず、ペットにも不快感を与える。
従来のくし例としては、図９、１０に示す市販のペット専用のくし１０がある。このペット専用のくし１０は、図示のように、弾性金属板の長いくし骨１１があってこのくし骨１１が一の字状に開けば胴体を広くすくことができ、すく箇所が狭いときは、くし骨１１を図１０に示すように復帰可能に曲げて両端の握持部１２１、１２２を仮固定し、一回すく面積を少なくすることができる。
【考案の開示】
【考案が解決しようとする課題】
【０００３】
このペット専用のくし１０は、そのくし骨１１が弾性のある金属材からなるが、大型ペットなら胴体の曲線に倣って歯先１１１、１１１、・・・が上下の方向に両手で曲げなければならない。また、小型のペットなら従来のように位置や角度を変化させて繰り返して梳かなければならず効率よく整理することができない。また、ペットの毛を整理するとき、くしが胴体からの摩擦抵抗を受けて望まない方向に湾曲変形し、順調にすくことができず、ペットに不快感を与える欠点もある。
上記問題点を解消するために、本考案は、そのくし歯がペットの胴体の曲線に倣って歯先の方向へ進退自在に湾曲変形できるくしを提供しようとすることを目的とする。
【課題を解決するための手段】
【０００４】
上記目的を達成するために、本考案は、長尺正面を有し、前記正面の垂直方向において弾性的な撓み変形をすることができるように構成されたくしストリップを有し、前記くしストリップは前記長尺正面の前記垂直方向から長手方向の一辺沿いに一連に並ぶように突出る複数の歯が設けられ、前記くしストリップは歯の先端を除いてホルダーにて挟持されるように構成することを特徴とするくしを提供する。
前記くしにおいて、前記くしストリップとしては、複数の板片によりそのステム先端より先へ分岐突出する歯と、これらの歯が付け根部位において隣接歯の付け根部位とがつなぎ部を介して互いに横並びに連接してなることができる。
なお、上記ホルダーは、前記くしストリップを挟持接触する部位を除いた他の部位が空洞をなすように肉を薄くすると好ましい。
また、前記くしにおいて、更に剛性材であって１側辺に開口する長溝を有する鞘からなり、且つ、前記くしストリップを、歯がその開口へ臨むようにその長溝内部へ進退自在に格納するキャップをそなえていることが好ましい。
前記キャップ内には、前記歯を常時開口より露出可能に弾性的に支持する付勢力を与えるように、前記くしストリップの前記キャップ内に収納する底部側から支持する付勢手段が設けられていることが好ましい。
前記くしストリップとしては、金属材料により、前記ホルダーとしては、ゴム材料によりつくられることができる。
【考案の効果】
【０００５】
本考案のくしによれば、くしの歯がくしストリップの長尺正面と垂直の方向に弾性的な撓み変形をすることができるように突出しているので、くしの歯がその先でペットの体の表面に当たると、くしストリップが体形の曲線に倣って歯を進退させて湾曲変形し、ペットの体形にぴったり合せながらすくことができる。
また、前記くしによれば、くしストリップが可撓材からなるものであると共に、ホルダーの前記複数の歯のステム及び歯、すなわちくしストリップと接触しない部分が空洞になるので、くしストリップの歯をペットの体の曲線に倣ってくしストリップの長尺正面と垂直の方向において弾性的な撓み変形をすることができる。
また、前記くしによれば、さらに剛性材でつくられており、くしストリップをその長溝内へ格納し、前記複数の歯の先だけが露出するようにしたキャップをそなえることにより、前記くしストリップの歯並びとは直交する方向への変形をさせず、また、望まない方向への湾曲変形を避けることができ、すき作業を容易にさせることができる。
【０００６】
この考案の上述の目的，その他の目的，特徴および利点は、図面を参照して行う以下の考案を実施するための最良の形態の詳細な説明から一層明らかとなろう。
【考案を実施するための最良の形態】
【０００７】
以下に添付図面を参照しながら、本考案に係るくしの好適実施形態例について説明する。
図１は、本考案の実施形態例のくしを示す分解斜視図である。図２は前記くしの断面図である。図３は、図２のIII−III線断面図である。図４は、図２のIV−IV線断面図である。図５は、図２のＶ−Ｖ線断面図である。図６は、図２のVI−VI線断面図である。
くし１は、図示のごとく、例えばほぼ短冊形の板からなり、この板は長尺正面２０を有し、長尺正面２０の垂直の方向において弾性的な撓み変形をすることができるように構成されたくしストリップ２を有している。くしストリップ２は、長尺正面２０から長手方向の一辺沿いに一連に並ぶように突出る複数の歯２１１、２１１、・・・が設けられている。
【０００８】
この例では、くしストリップ２としては、複数の金属板片２１によりそのステム２１２先端より先へ分岐突出する歯２１１と、これらの歯２１１、２１１が付け根部位２１４において隣接歯２１１の付け根部位２１４とがつなぎ部２１３を介して互いに横並びに連接してなる。くしストリップ２は、長尺正面２０の垂直な方向、すなわち、図７において示すように、歯２１１及びステム２１２がのびる歯２１１及びステム２１２の長手方向（図７の上下方向であるＸ方向）に弾性的な撓み変形をする。くしストリップ２は、歯２１１の先端を除いて上下両面をホルダー３にて挟持するように構成することができる。
【０００９】
ホルダー３は、この例では、図示の如く、例えばゴム材料によりつくられることができ、また、くしストリップ２を正面と垂直の方向においてより一層弾性的な撓み変形をすることができるように構成されている。好ましくは、ホルダー３は、くしストリップ２と接触する部位３１を除いた他の部位３２が空洞をなすように肉を薄くすると好ましい。
この例では、ホルダー３は、長尺正面２０の垂直な方向、すなわち、図７において示すように、ホルダー３の長手方向と直交する方向（図７の上下方向であるＸ方向）に弾性的な撓み変形をし、空洞をなす部位３２がやや開口するように形成されている。
【００１０】
また、本考案のくしは、くしの操作性を向上させるように、更に剛性材であって１側辺に開口する長溝４２を有する鞘４１からなり、且つ、くしストリップ２の歯２１１がその開口へ臨むように、その長溝４２内部へ進退自在にくしストリップ２を格納するキャップ４をそなえている。なお、くしストリップ２の長尺正面とは、歯が垂直に突出る面であり、この例においては、長溝４２の開口に臨む面である。ホルダー３の両端縁をキャップ４内の長溝４２開口に取り付けていることで、くしストリップ２を定位置に固定することができ、くしの操作性がよい。
【００１１】
また、キャップ４内に、歯２１１を常時長溝４２開口より露出する付勢力を付与するように、キャップ４内に収納するくしストリップ２の底部側から支持する付勢手段が設けられている。付勢手段としては、この例では、図７に示すように板ばね５や、図８に示すコイルばね５Ａを用いることができる。
【００１２】
図７に示すように、ペットの毛（図示せず）をすくとき、くしストリップ２の歯２１１、２１１、・・・がペットの胴体に当たると、胴体の曲線に倣って歯並びを上下の方向に撓み変形することができるので、絶えずくしの位置や角度を変化させなくてもよく、ペットの胴体にぴったり合せて毛を効率よく整理することができ、ペットにも不快感を与えずにすむことができる。
【００１３】
本考案のくし１においては、くしストリップ２がくしストリップ２の長尺正面２０と垂直の方向に弾性的な撓み変形をすることができるように、歯２１１、２１１、…は、ホルダー３により歯の先端を除いて挟持されるように突出しているので、くしの歯２１１、２１１、…がその先でペットの体の表面に当たると、くしストリップ２が体形の曲線に倣って歯を進退させて湾曲変形し、ペットの体形にぴったり合せながらすくことができる。
【００１４】
また、本考案のくし１においては、くしストリップ２がゴム材などの可撓材からなるものであると共に、ホルダー３のくしストリップ２と接触しない部分が空洞になるように肉薄くしてあるので、くしストリップ２の歯２１１列をペットの体の曲線に倣ってくしストリップ２の正面２０と垂直の方向において弾性的な撓み変形をすることができる。
【００１５】
また、本考案のくし１においては、さらに剛性材でつくられており、くしストリップ２をその長溝４２内へ定位置に据えるように格納し、複数の歯２１１、２１１の先だけが露出するようにしたキャップ４をそなえている。キャップ４を備えていることにより、くしストリップ２の歯並びとは直交する方向への変形をさせず、また、望まない方向への湾曲変形を避けることができ、ペットの毛の整理作業を容易にさせることができる。
【産業上の利用可能性】
【００１６】
本考案のくしによれば、ペットの毛を整理する用具として有用である。
【図面の簡単な説明】
【００１７】
【図１】本考案のくしの一例を示す分解斜視図である。
【図２】図１の組立断面図である。
【図３】図２のIII−III線断面図である。
【図４】図２のIV−IV線断面図である。
【図５】図２のＶ−Ｖ線断面図である。
【図６】図２のVI−VI線断面図である。
【図７】本考案のくしの使用状態を示す断面図である。
【図８】本考案のくしの他例を示す断面図である。
【図９】従来のペット用くしの使用状態の１例を示す。
【図１０】図１０のくしの他の使用状態の他例を示す。
【符号の説明】
【００１８】
１  くし
２  くしストリップ
３  ホルダー
４  キャップ
５，５Ａ  付勢手段（ばね）
２０  長尺正面
２１  板片
３１  くしストリップ２と接触する部位
３２  くしストリップ２と接触しない部位（空洞）
４１  鞘
４２  長溝
２１１  歯
２１２  ステム
２１３  つなぎ部
２１４  付け根部位
【図１】
0003144864.tif 000003
【図２】
0003144864.tif 000004
【図３】
0003144864.tif 000005
【図４】
0003144864.tif 000006
【図５】
0003144864.tif 000007
【図６】
0003144864.tif 000008
【図７】
0003144864.tif 000009
【図８】
0003144864.tif 000010
【図９】
0003144864.tif 000011
【図１０】
0003144864.tif 000012